(57)【要約】【課題】電気‐振動変換装置の動作時にホルダが揺動等して接続が不安定になるのを抑制防止し、導電接続子が電気接合物と擦れて磨耗するのを防げる電気‐振動変換装置の保持構造を提供する。【解決手段】回路基板１に導通接続されるバイブレーションモータ１０と、バイブレーションモータ１０を保持するホルダ２０と、ホルダ２０の周壁後部に突出して貫通支持され、回路基板１とバイブレーションモータ１０間を導通接続する導電接続子３０と、ホルダ２０の周壁前部に突出して一体形成され、バイブレーションモータ１０の動作時に導電接続子３０の接続の不安定化を抑制する支持部材４０とを備える。支持部材４０がホルダ２０の前部の揺動等を規制するので、例えバイブレーションモータ１０の偏芯分銅１１が回転等しても、ホルダ２０の前部が不規則に揺動等するのを抑制できる。【選択図】　図１
2004113944.tif 000002
【特許請求の範囲】
【請求項１】
電気接合物に電気的に接続される偏芯分銅付きの電気‐振動変換装置を保持する構造であって、
電気‐振動変換装置を収納保持するホルダと、このホルダに突出状態に取り付けられて電気接合物と電気‐振動変換装置の電極間を電気的に接続する導電接続子と、電気‐振動変換装置の動作時に導電接続子の接続の不安定化を抑制する支持部材とを含んでなることを特徴とする電気‐振動変換装置の保持構造。
【請求項２】
ホルダを略筒形に形成し、このホルダに支持部材を形成して電気‐振動変換装置における偏芯分銅の電気接合物面投影位置と導電接続子との間に突出させ、この支持部材と導電接続子との間に隙間を形成した請求項１記載の電気‐振動変換装置の保持構造。
【請求項３】
ホルダを略筒形に形成し、支持部材を略筒形に設けて電気‐振動変換装置に嵌め入れ、ホルダと支持部材との間に隙間を形成した請求項１記載の電気‐振動変換装置の保持構造。
【発明の詳細な説明】
【０００１】
【発明の属する技術分野】
本発明は、携帯電話機のバイブレーションモータ等からなる電気‐振動変換装置の保持構造に関するものである。
【０００２】
【従来の技術】
携帯電話機には様々な部品が内蔵されるが、その一つとしてマナーモード用のバイブレーションモータがあげられる。この種のバイブレーションモータは、図示しない有底角筒形のホルダに嵌入保持され、このホルダの周壁後部から突出した導電性エラストマーからなる導電接続子が回路基板に導通接続されることにより、回転軸が回転してその先端部の偏芯分銅を回転・振動させる（特許文献１参照）。
【０００３】
【特許文献１】
特開２０００‐６００５８号公報（図１参照）
【０００４】
【発明が解決しようとする課題】
従来における電気‐振動変換装置の保持構造は、以上のようにホルダの導電接続子が回路基板に単に導通接続されるだけなので、バイブレーションモータの偏芯分銅が回転・振動すると、ホルダの前部が不規則に振動・揺動（揺れ動くの意、以下同じ）し、これに伴い導電接続子の抵抗や接続が不安定になるという大きな問題がある。また、ホルダの前部が振動・揺動すると、導電接続子が導電性エラストマー製の場合、回路基板の電極と擦れて磨耗し、不具合を来すこととなる。
【０００５】
本発明は、上記に鑑みなされたもので、電気‐振動変換装置の動作時にホルダが揺動等して接続が不安定になるのを抑制防止し、導電接続子が電気接合物と擦れて磨耗するのを防ぐことのできる電気‐振動変換装置の保持構造を提供することを目的としている。
【０００６】
【課題を解決するための手段】
本発明においては、上記課題を達成するため、電気接合物に電気的に接続される偏芯分銅付きの電気‐振動変換装置を保持する構造であって、
電気‐振動変換装置を収納保持するホルダと、このホルダに突出状態に取り付けられて電気接合物と電気‐振動変換装置の電極間を電気的に接続する導電接続子と、電気‐振動変換装置の動作時に導電接続子の接続の不安定化を抑制する支持部材とを含んでなることを特徴としている。
【０００７】
なお、ホルダを略筒形に形成し、このホルダに支持部材を形成して電気‐振動変換装置における偏芯分銅の電気接合物面投影位置と導電接続子との間に突出させ、この支持部材と導電接続子との間に隙間を形成することができる。
また、ホルダを略筒形に形成し、支持部材を略筒形に設けて電気‐振動変換装置に嵌め入れ、ホルダと支持部材との間に隙間を形成することができる。
【０００８】
ここで特許請求の範囲における電気接合物には、少なくとも各種の基板（例えば、プリント基板、フレキシブル基板、検査基板等）や電子部品等が含まれる。電気‐振動変換装置には、バイブレーションモータやこれに類似する電気機器が含まれる。また、ホルダは、底のある各種形状の筒形でも良いし、底のない各種形状の筒形でも良い。このホルダは、絶縁性を有していても良いが、静電気防止の観点から少量の導電性粒子を添加して半導電性としても良い。導電接続子は、導電性を有するのであれば、単数複数の高分子化合物でも良いし、単数複数の金属等を使用することもできる。
【０００９】
支持部材は、高分子化合物、プラスチック、金属等を使用して形成することができ、ホルダにその一部として単数複数設けることができるし、ホルダとは別体とすることもできる。さらに、電気接合物を内蔵する筐体、ケース、ハウジング等に単数複数設けることも可能である。この支持部材は、少なくとも導電接続子の接続の不安定化を抑制すれば良く、抵抗の不安定化や磨耗の防止、及び減衰機能等を併せ持つものでも良い。さらにまた、本発明に係る電気‐振動変換装置の保持構造は、携帯電話機、情報通信機器、電子機器、玩具等に広く利用することができる。
【００１０】
本発明によれば、電気‐振動変換装置の動作時に支持部材が電気接合物やその保護筐体等に接続されてホルダの振動や揺れを制限するので、例え電気‐振動変換装置が動作しても、ホルダや導電接続子が大きく振動したり、揺れたりするのを抑制することができる。したがって、導電接続子の接続が不安定化するのを防ぐことができる。
【００１１】
【発明の実施の形態】
以下、図面を参照して本発明の好ましい実施形態を説明すると、本実施形態における電気‐振動変換装置の保持構造は、図１に示すように、携帯電話機の回路基板１に導通接続されるバイブレーションモータ１０と、このバイブレーションモータ１０用のホルダ２０と、このホルダ２０に貫通支持され、圧接に基づいて回路基板１とバイブレーションモータ１０間を導通接続する導電接続子３０と、バイブレーションモータ１０の動作時に導電接続子３０の接続の不安定化を抑制する支持部材４０とを備えている。
【００１２】
回路基板１は、例えば積層板からなる絶縁基板を備え、この絶縁基板の内外には、導電性を有する複数の配線パターンや電極２が適宜形成されており、携帯電話機の筐体に内蔵される。また、バイブレーションモータ１０は、基本的には本体が円柱に形成され、回転軸の先端部に偏芯分銅１１が嵌着されており、回路基板１の下方に倒れた状態で位置する。このバイブレーションモータ１０の周面後部には、回路基板１の電極２に対向する給電用の電極１２が複数配設される。
【００１３】
ホルダ２０は、例えば弾性と絶縁性とを有する所定の材料を使用して硬度３０°〜７０°Ｈｓ、より好ましくは４０°〜６０°Ｈｓの有底角筒形に形成され、周壁である上壁後部に導電接続子用の貫通孔２１が厚さ方向に穿孔されており、開口した前部側からバイブレーションモータ１０を水平に密嵌し、かつ回転する偏芯分銅１１を露出させる。このホルダ２０の所定の材料としては、硬化前に流動性を有し、硬化により架橋構造を有する各種の絶縁性エラストマー（常温付近でゴム状弾性を有するものの総称）が使用される。
【００１４】
具体的には、シリコーンゴム、フッ素ゴム、ウレタンゴム、ポリウレタンゴム、ＥＰＤＭ、ポリブタジエンゴム、ポリイソプロピレンゴム、クロロプレンゴム、ポリエステル系ゴム、スチレン・ブタジエン共重合体ゴム、天然ゴム等があげられる。また、これらの独立・連泡の発泡体等も該当する。これらの中でも、電気絶縁性、耐熱性、圧縮永久歪み、加工性等に優れるシリコーンゴムが最適である。
【００１５】
導電接続子３０は、柱形あるいはブロック形等に形成される弾性の絶縁性エラストマー３１と、この絶縁性エラストマー３１の上下厚さ方向に並べて内蔵されて上下の回路基板１とバイブレーションモータ１０の電極２・１２間を接続する複数の導電細線３２とを備え、ホルダ２０の貫通孔２１に嵌着支持されてその上部が外部に露出する。絶縁性エラストマー３１は、ホルダ２０と同様であるが、圧縮量が５〜３０％、好ましくは１５〜２０％の範囲が良い。各導電細線３２は、例えば銅、リン青銅、ベリリウム銅、真鍮等の銅合金等からなり、表面にニッケルメッキや金メッキ処理等が適宜施される。この導電細線３２については、絶縁性エラストマー３１に、円柱形等の別の絶縁性エラストマーを介し間接的に埋設することも可能である。
【００１６】
支持部材４０は、ホルダ２０の周壁である上壁前部に略ブロック形に一体形成され、回路基板１や筐体に接着される。この支持部材４０は、ホルダ２０と同様に弾性の絶縁性エラストマー３１を用いて硬度３０°〜７０°Ｈｓ、より好ましくは４０°〜６０°Ｈｓの硬度に形成され、偏芯分銅１１の回路基板面投影位置と導電接続子３０との間に突出しており、後方の導電接続子３０との間に隙間４１を形成する。
【００１７】
上記構成によれば、支持部材４０が導電接続子３０と面一にホルダ２０の前部の振動・揺動を規制するので、例えバイブレーションモータ１０の偏芯分銅１１が回転・振動しても、２点支持によりホルダ２０の前部や導電接続子３０が不規則に振動・揺動することがない。したがって、導電接続子３０の圧縮量を適正化してその抵抗や接続が不安定化するのをきわめて有効に抑制防止することができる。また、例え導電接続子３０がエラストマー製でも、回路基板１の電極２と擦れて磨耗するのを抑制防止することができる。
【００１８】
さらに、支持部材４０をエラストマーとすれば、振動の減衰効果が期待でき、しかも、厚さ、高さ、幅等を適宜選択すれば、振動周波数とばね定数とを自由に調整することができる。さらにまた、支持部材４０を金属や硬質のプラスチックとすれば、携帯電話機の筐体にバイブレーションモータ１０の振動を直接伝達することが可能となる。
【００１９】
次に、図２は本発明の第２の実施形態を示すもので、この場合には、ホルダ２０の側壁にスリット２２を長手方向に切り欠き形成し、このスリット２２を使用してホルダ２０の側壁を分割して捲り上げ可能とし、ホルダ２０内の大きさを変更できるようにしている。その他の部分については、上記実施形態と同様であるので説明を省略する。
本実施形態においても上記実施形態と同様の作用効果が期待でき、しかも、ホルダ２０にバイブレーションモータ１０を嵌入したり、取り外すことがきわめて容易になるので、作業効率が大幅に向上するのは明らかである。また、ホルダ２０にバイブレーションモータ１０を強く圧入する必要が全くないので、作業時におけるバイブレーションモータ１０の損傷防止を図ることができる。
【００２０】
次に、図３は本発明の第３の実施形態を示すもので、この場合には、ホルダ２０を短い角筒形に形成してバイブレーションモータ１０の後部を嵌入し、支持部材４０をホルダ２０とは別体の短い角筒形に形成してバイブレーションモータ１０の前部に接着剤を介して嵌着し、これらのホルダ２０と支持部材４０との間に隙間４１を形成するとともに、ホルダ２０と支持部材４０との両側壁間には、細長い連結部材４２を架設して一体化するようにしている。
【００２１】
ホルダ２０と支持部材４０とは、その一方が接着されれば良い。したがって、ホルダ２０にバイブレーションモータ１０の後部を接着剤を介して嵌着し、支持部材４０をバイブレーションモータ１０の前部に嵌入しても良い。その他の部分については、上記実施形態と同様であるので説明を省略する。
本実施形態においても上記実施形態と同様の作用効果が期待でき、しかも、バイブレーションモータ１０の挿入が実に容易になるのは明らかである。また、連結部材４２がホルダ２０と支持部材４０とをまとめて一体化するので、ハンドリング作業もきわめて容易になる。
【００２２】
次に、図４は本発明の第４の実施形態を示すもので、この場合には、第３の実施形態における連結部材４２を省略してホルダ２０と支持部材４０とを分離するようにしている。その他の部分については、上記実施形態と同様であるので説明を省略する。
本実施形態においても上記実施形態と同様の作用効果が期待でき、しかも、連結部材４２を省略することができるので、部品点数の削減を図ることができるのは明白である。
【００２３】
次に、図５は本発明の第５の実施形態を示すもので、この場合には、ホルダ２０の貫通孔２１に嵌入支持される導電接続子３０を、回路基板１とバイブレーションモータ１０の間に介在される弾性の複数の絶縁性エラストマー３１と、回路基板１とバイブレーションモータ１０の電極２・１２間に介在される弾性の複数の導電性エラストマー３３とから構成し、これら複数の絶縁性エラストマー３１と導電性エラストマー３３とを横方向に交互に配列するとともに、この一列に並んだ複数の絶縁性エラストマー３１と導電性エラストマー３３の両側部には、絶縁性を有するサポート層３４をそれぞれ重ねて設けるようにしている。
【００２４】
絶縁性エラストマー３１については、上記と同様であるので説明を省略する。また、導電性エラストマー３３は、絶縁性エラストマー３１に導電粒子が配合された導電性組成物からなる。導電粒子としては、粒状あるいはフレーク状のタイプがあげられる。具体的には、金、銀、銅、プラチナ、パラジウム、ニッケル、アルミニウム等の金属単体、あるいはこれらの合金からなる粒子の他、フェノール樹脂、エポキシ樹脂、シリコーン樹脂、ウレタン樹脂等の熱可塑性樹脂や熱硬化性樹脂、これらの焼成品、カーボン、セラミックス、シリカ等の無機材料を核として表面が上記金属によりメッキ、蒸着、スパッタ等の方法で被覆された粒子があげられる。これらの中でも、耐環境特性やコストの観点から、シリカを核材としてニッケルメッキを施し、さらにこの表面に金メッキを施した球状の導電粒子が好ましい。
【００２５】
絶縁性のサポート層３４としては、上記した絶縁性エラストマー３１が細長い長方形に形成されて使用される。その他の部分については、上記実施形態と同様であるので説明を省略する。
本実施形態においても上記実施形態と同様の作用効果が期待でき、しかも、複数の導電細線３２の省略が期待できるのは明白である。
【００２６】
次に、図６は本発明の第６の実施形態を示すもので、この場合には、ホルダ２０の貫通孔２１に嵌入支持される導電接続子３０を、回路基板１とバイブレーションモータ１０の電極２・１２間に介在される断面略六角形で弾性の導電性エラストマー３３とするようにしている。
【００２７】
単数複数の導電接続子３０は、ホルダ２０の貫通孔２１に絶縁性の基材を介して嵌入支持されたり、あるいは貫通孔２１の省略されたホルダ２０の周壁に貫通支持される。この導電接続子３０は、断面略六角形の他、円柱形、円錐台形、角柱形、角錐台形、球形等にも適宜形成することができる。その他の部分については、上記実施形態と同様であるので説明を省略する。
本実施形態においても、上記実施形態と同様の作用効果を期待することができる。
【００２８】
次に、図７は本発明の第７の実施形態を示すもので、この場合には、導電接続子３０を、回路基板１とバイブレーションモータ１０の電極２・１２間に介在される導電性で複数のスプリング３５とするようにしている。
スプリング３５としては、図示のコイルスプリングや板バネ等を適宜使用することができる。その他の部分については、上記実施形態と同様であるので説明を省略する。
本実施形態においても上記実施形態と同様の作用効果の実現が期待でき、しかも、導通接続時の抵抗を低下させることができる。
【００２９】
次に、図８は本発明の第８の実施形態を示すもので、この場合には、導電接続子３０を、回路基板１とバイブレーションモータ１０の電極２・１２間に並べて介在される複数の導電ボール３６とするようにしている。その他の部分については、上記実施形態と同様であるので説明を省略する。
本実施形態においても上記実施形態と同様の作用効果の実現が期待でき、しかも、導電ボール３６を金属製とすれば、回路基板１の電極２と擦れて磨耗するのを有効に抑制防止することができるとともに、抵抗の低下をも図ることが可能になる。
【００３０】
次に、図９は本発明の第９の実施形態を示すもので、この場合には、導電接続子３０を、回路基板１とバイブレーションモータ１０の電極２・１２間に介在される柱形の導電性エラストマー３３と、回路基板１とバイブレーションモータ１０間に並べて介在される複数の導電ボール３６とから構成するようにしている。導電ボール３６は導電性エラストマー３３用のストッパボールとして機能すれば良く、導電ボール３６の代わりに硬質の合成樹脂等からなる単数複数の絶縁ボールを使用することも可能である。その他の部分については、上記実施形態と同様であるので説明を省略する。
【００３１】
本実施形態においても上記実施形態と同様の作用効果の実現が期待でき、しかも、各導電ボール３６がスペーサ・ストッパとして導電性エラストマー３３の過剰な圧縮を規制するので、簡易な構成で導電性エラストマー３３の損傷をきわめて有効に防止することが可能になる。
【００３２】
なお、上記実施形態では導電接続子３０をホルダ２０の後部の貫通孔２１に嵌着支持させ、ホルダ２０の前部に支持部材４０を一体形成したが、バイブレーションモータ１０の電極位置に応じて適宜変更することができる。例えば、導電接続子３０をホルダ２０の前部の貫通孔２１に嵌着支持させ、ホルダ２０の後部に支持部材４０を形成することもできる。また、支持部材４０を、ホルダ２０の上壁前部だけではなく、ホルダ２０の側壁前部や下壁前部等にも形成することができる。また、支持部材４０を、携帯電話機の筐体に設けて回路基板１を貫通させ、この支持部材４０の先端部をホルダ２０の周壁に接続しても良い。さらに、上記実施形態とその導電接続子３０とは、自由に組み合わせることができる。
【００３３】
【発明の効果】
以上のように本発明によれば、電気‐振動変換装置の動作時にホルダが揺動等して接続が不安定になるのを有効に抑制あるいは防止することができるという効果がある。また、導電接続子が電気接合物と擦れて磨耗するのを防ぐことができる。
【図面の簡単な説明】
【図１】本発明に係る電気‐振動変換装置の保持構造の実施形態を示す模式断面説明図である。
【図２】本発明に係る電気‐振動変換装置の保持構造の第２の実施形態を示す模式説明図である。
【図３】本発明に係る電気‐振動変換装置の保持構造の第３の実施形態を示す模式説明図である。
【図４】本発明に係る電気‐振動変換装置の保持構造の第４の実施形態を示す模式断面説明図である。
【図５】本発明に係る電気‐振動変換装置の保持構造の第５の実施形態における導電接続子を示す斜視説明図である。
【図６】本発明に係る電気‐振動変換装置の保持構造の第６の実施形態における導電接続子を示す断面説明図である。
【図７】本発明に係る電気‐振動変換装置の保持構造の第７の実施形態における導電接続子を示す断面説明図である。
【図８】本発明に係る電気‐振動変換装置の保持構造の第８の実施形態における導電接続子を示す断面説明図である。
【図９】本発明に係る電気‐振動変換装置の保持構造の第９の実施形態における導電接続子を示す断面説明図である。
【符号の説明】
１　　　　　回路基板（電気接合物）
２　　　　　電極
１０　　　　バイブレーションモータ（電気‐振動変換装置）
１１　　　　偏芯分銅
１２　　　　電極
２０　　　　ホルダ
２２　　　　スリット
３０　　　　導電接続子
４０　　　　支持部材
４１　　　　隙間
４２　　　　連結部材
【図１】
2004113944.tif 000003
【図２】
2004113944.tif 000004
【図３】
2004113944.tif 000005
【図４】
2004113944.tif 000006
【図５】
2004113944.tif 000007
【図６】
2004113944.tif 000008
【図７】
2004113944.tif 000009
【図８】
2004113944.tif 000010
【図９】
2004113944.tif 000011